(57)【特許請求の範囲】
【請求項１】
建築物の換気通路内に不燃性邪魔板を配置して構成した防火ダンパーに於いて、
折曲して設けた、幅狭部で開放される断面袋状の凹部を有する筒状外フレームと、
前記凹部内に設けた不燃性熱膨張材と、
を有し、
前記不燃性邪魔板は、折り曲げ部を境にした挿入片と遮断片とからなり、該折り曲げ部の中心から該遮断片の端部までの距離が、該折り曲げ部から該挿入片の端部までの距離よりも長くなるように構成され、
前記不燃性邪魔板は、前記挿入片を前記不燃性熱膨張材に隣接させるように前記凹部に挿入し、かつ前記折り曲げ部を前記幅狭部に設置することにより、該幅狭部を支点として、前記折り曲げ部により回動自在に支持され、火災時に前記換気通路内に火炎や熱気が侵入して温度上昇し、一定の温度に達した場合に前記不燃性熱膨張材が膨張して前記不燃性邪魔板の前記挿入片を押圧し、該不燃性邪魔板が前記幅狭部を支点として回動し、前記遮断片により前記換気通路を遮断することを特徴とした換気用防火ダンパー。
【発明の詳細な説明】
【０００１】
【発明の属する技術分野】
本発明は建築物の換気通路内に設けられた防火用のダンパーに係り、特に換気通路内に不燃性邪魔板が回動自在に設けられると共に、この不燃性邪魔板を火災時等に作動することが出来る不燃性熱膨張材を該不燃性邪魔板の周りの所定位置に取付けて構成した換気用防火ダンパーに関するものである。
【０００２】
【従来の技術】
従来のこの種の防火装置としては、例えば特開平７−１１９２１９号公報に示す建物の軒天部に設ける通気部の防火装置（第１公知技術）、特開平７−２７９５５４号公報に示す防火ダンパー付換気装置（第２公知技術）、或いは特開平１１−１５９０１８号公報に示す軒天井の換気構造（第３公知技術）等が知られている。
【０００３】
また、本件特許出願人が開発して特許出願した多くの発明の内の例えば特開平６−７３８２８号公報に示す天井の換気構造（第４公知技術）、特開平９−６０１８４号公報に示す軒天井の換気構造及びその構成金具（第５公知技術）、或いは特開平９−１０５２００号公報に示す防火換気構造（第６公知技術）等が知られている。
【０００４】
【発明が解決しようとする課題】
然るに、前述の第１公知技術乃至第３公知技術に於いては、全体の構造が複雑であると共に、温度ヒューズ、特殊なスプリング等を使用しなければならないので、コスト高になると共に、温度ヒューズやスプリングが一定の高温に達した際に、均一に作動することが困難であり、従って不良品が発生する等の問題があった。
【０００５】
また、前述の本件特許出願人が開発した第４公知技術乃至第６公知技術に示す技術に於いては、建築物の換気通路内の所定位置に不燃性熱膨張材を取付け、火災時等に換気通路内が一定の温度に加熱された際には、前記不燃性熱膨張材が熱膨張し、換気通路を簡単かつ確実に閉鎖し、火炎や熱気が屋内に侵入したり、或いは屋内から建物の外に排出されることを防止し得る作用効果を有していた。
【０００６】
然るに、前述の従来の不燃性熱膨張材を換気通路に設けた技術に於いては、この不燃性熱膨張材が火災時の火炎、熱気を直接に受けるので、その一部が損傷し、換気通路の遮断能力が少し下落する心配があった。また、一般的に前記不燃性熱膨張材は換気通路の入口付近に配置するので、風雨に直接触れる場合があり、その熱膨張性能が劣化する心配もあった。
【０００７】
更に、前記不燃性熱膨張材によって火災時の火炎、熱気を確実に遮断するためには、不燃性熱膨張材の膨張時の膨張密度を一定に保つ必要があり、そのために膨張の高さを１０ｍｍ程度に抑えなければならなかった。従って、このような制限があるために、大きな断面積を有する換気通路に於いては、不燃性熱膨張材を用いて換気通路を完全に閉鎖することが困難になる問題があった。
【０００８】
本発明に係る換気用防火ダンパーは、前述の従来の問題点に鑑み開発された全く新しい技術であって、特に建築物の換気通路内に不燃性邪魔板を回動自在に配置し、かつこの不燃性邪魔板の所定位置に沿って不燃性熱膨張材を取付け、火災時等に換気通路内に火炎や熱気が侵入した際に、不燃性熱膨張材が高温度で膨張して前記不燃性邪魔板で換気通路を遮断することが出来るように構成した全く新しい防火ダンパーの技術を提供するものである。
【０００９】
【課題を解決するための手段】
本発明に係る換気用防火ダンパーは、前述の従来の問題点を根本的に改善した技術であって、その要旨は、建築物の換気通路内に不燃性邪魔板を配置して構成した防火ダンパーに於いて、折曲して設けた、幅狭部で開放される断面袋状の凹部を有する筒状外フレームと、前記凹部内に設けた不燃性熱膨張材とを有し、前記不燃性邪魔板は、折り曲げ部を境にした挿入片と遮断片とからなり、該折り曲げ部の中心から該遮断片の端部までの距離が、該折り曲げ部から該挿入片の端部までの距離よりも長くなるように構成され、前記不燃性邪魔板は、前記挿入片を前記不燃性熱膨張材に隣接させるように前記凹部に挿入し、かつ前記折り曲げ部を前記幅狭部に設置することにより、該幅狭部を支点として、前記折り曲げ部により回動自在に支持され、火災時に前記換気通路内に火炎や熱気が侵入して温度上昇し、一定の温度に達した場合に前記不燃性熱膨張材が膨張して前記不燃性邪魔板の前記挿入片を押圧し、該不燃性邪魔板が前記幅狭部を支点として回動し、前記遮断片により前記換気通路を遮断することを特徴とした換気用防火ダンパーである。
【００１０】
前述の発明に於いては、建築物の換気通路内に不燃性邪魔板を回動自在に配置し、かつこの不燃性邪魔板の所定位置に沿って不燃性熱膨張材を取付けたので、火災時に換気通路内に火炎や熱気が侵入して温度が一定の温度に達した場合には、不燃性熱膨張材が膨張して前記不燃性邪魔板を回転させ、これによって不燃性邪魔板で換気通路を遮断することが出来る。
【００１１】
また、前記換気通路内に配置された不燃性邪魔板の中間所定部分を支持することによって該不燃性邪魔板を回動自在に設け、その不燃性邪魔板の端部に隣接して前記不燃性熱膨張材を取付けたので、換気通路内に火炎や熱気が侵入して温度が一定の高温度に達した場合には、不燃性熱膨張材が膨張して不燃性邪魔板の中間部分の支点を中心にして回動させ、これによって換気通路を遮断することが出来る。
【００１２】
【発明の実施の形態】
図により、本発明に係る換気用防火ダンパーの一実施例を具体的に説明すると、図１（ａ），（ｂ）は本発明に係る第１実施例の防火ダンパーを軒天井の先端側に取付けた状態の断面図、図２（ａ），（ｂ）は図１の防火ダンパーを軒天井の元部に取付けた状態の断面図、図３は図１の防火ダンパーを棟部に設けた通常時の断面図、図４は図３の防火ダンパーが作動する状態を示す断面図である。
【００１３】
図５（ａ），（ｂ）は本発明の第２実施例の防火ダンパーを土台部に設けた状態の断面或いは斜視説明図、図６は図５の防火ダンパーが作動した状態を示す断面図、図７は図５の防火ダンパーを下屋部に設けた状態を示す断面図、図８は図５の防火ダンパーを垂直換気通路の複数個所に設けた状態の断面図、図９（ａ），（ｂ）は図８の防火ダンパーの一部が通常時の状態から作動する状態に変化する断面拡大図である。
【００１４】
図１０（ａ），（ｂ）は参考例１の防火ダンパーを軒天井の先端側に設けた状態の断面図、図１１（ａ），（ｂ）は図１０の防火ダンパーを軒天井の元部に設けた状態の断面図、図１２（ａ），（ｂ）は参考例２の防火ダンパーを軒天井の先端側に設けた状態の断面図である。
【００１５】
［実施例１］
図１（ａ），（ｂ）は軒天井の先端側に本発明の防火ダンパーの内のＡ型防火ダンパーを取付けた実施例であって、１は軒先の屋根、２は軒先に取付けられた鼻隠し板、３は不燃性の軒天井板であって、この軒天井板３の先端部と鼻隠し板２との間には所定巾の隙間４が設けられている。
【００１６】
この隙間４にはＡ型防火ダンパー５が嵌め込まれており、Ａ型防火ダンパー５はビス、ボルト６等を介して前記鼻隠し板２の裏側に設けられた下地板にブラケット等を介して取付固定されている。Ａ型防火ダンパー５は前記隙間４内に水平状に配置された筒状外フレーム７より構成され、この筒状外フレーム７は下部の一部が解放された換気筒７ａと、前記軒天井板３を下方から支持する軒天支持筒７ｂとより形成されている。該換気筒７ａの上板には通気孔８が設けられている。
【００１７】
また、該換気筒７ａ内には後述の邪魔板９の先端部９ａを支持することが出来る支持片１０が水平方向に筒内の途中迄突設されている。従って換気筒７ａの下部より侵入した空気は、換気筒７ａ内の換気通路Ｓ内を矢印の様に通って、前記通気孔８より排出されるように構成されている。
【００１８】
前記邪魔板９は金属板、不燃性樹脂板等の不燃材で断面形状がへ字状に形成されており、その先端部９ａは前記支持片１０に水平状に支持され、かつその後端部９ｂは、軒天支持筒７ｂ内に挿入され、更に邪魔板９はその中間点の換気筒７ａと軒天支持筒７ｂとの接合部７ｃを支点として回動出来るように構成されている。
【００１９】
１１は一定の高温度で膨張する不燃性熱膨張材であって、前記邪魔板９の元部に隣接するように、軒天支持筒７ｂの内面に取付けられている。従って、火災が発生してＡ型防火ダンパー５内が一定の高温度に達した場合には、この不燃性熱膨張材１１が膨張し、邪魔板９の後端部９ｂを押圧し、前記接合部７ｃを支点として邪魔板９を回動させ、邪魔板９の先端部９ａで、図の仮想線で示すように換気筒７ａの通気孔８を閉鎖することが出来るように構成されている。
【００２０】
前述の不燃性熱膨張材１１としては、例えばオーストリアケミー・リンツ社製の「インツメックス」や、特公昭６３−１３２９６８号公報或いは同平３−２３５号公報等に示す製品や技術を用いることが出来る。
【００２１】
前記実施例に於いては、Ａ型防火ダンパー５を軒天井の先端側に取付けて構成したが、図２（ａ），（ｂ）に示す如く、Ａ型防火ダンパー５を軒天井の元部側に取付けて構成することも可能である。この場合には、軒天井板３の元部と壁板１２との間に隙間４を設け、この隙間４内にＡ型防火ダンパー５を嵌め込むと共に、このＡ型防火ダンパー５をボルト６を介して壁板１２に取付固定することが出来る。
【００２２】
前述のＡ型防火ダンパー５は、軒天井のみならず、例えば図３及び図４に示す如く、屋根１の棟部１３内の両側に取付けて使用することが出来る。図３に示す状態は、通常の換気をしている状態を示し、図４は火災が発生してＡ型防火ダンパー５の通気口８を邪魔板９で閉鎖し、屋外の火災や高温熱気が屋内に侵入することを防止している状態を示している。
【００２３】
［実施例２］
図５（ａ），（ｂ）及び図６によって、基礎部の換気通路にＢ型防火ダンパーを取付けた実施例を説明する。
【００２４】
図に於いて、１４は基礎であって、この基礎１４上には土台１５が載置されている。該土台１５の外方には外壁１６が所定の間隙を保って設けられると共に、該外壁１６の下部と、基礎１４及び土台１５との間には空間１７が形成されている。土台１５の外側起立面に沿って不燃性下地材１８が垂直方向に配設され、この不燃性下地材１８と外壁１６との間には垂直方向の換気通路１９が形成されている。また、前記基礎１４と土台１５との間には複数の基礎パッキン２０が介在され、これ等の間には水平方向の換気通路２１が形成されている。
【００２５】
２２はＢ型防火ダンパーであって、前記基礎部の空間１７内に収納されている。このＢ型防火ダンパー２２は、上部にビス、釘等を介して土台１５に固定される垂直取付部２３を有し、その下部は二又状に多機能水切り２４と基礎押さえ２５とに分離されている。多機能水切り２４は外壁１６の下端部外方に突出され、かつ基礎押さえ２５は基礎１４上に載置されており、これ等の多機能水切り２４と基礎押さえ２５との間には換気通路Ｓが形成されている。
【００２６】
前記基礎押さえ２５の下部には三角突出部２６が設けられており、この三角突出部２６の先端部は換気通路Ｓ内に突設され、更に基礎押さえ２５の下端はほぼＵ字状に折曲って、その内部に凹部２７を形成している。前記多機能水切り２４と基礎押さえ２５とには、特に図５（ｂ）に示す如く、横方向に並列された通気孔２８が穿設されている。従って前述の換気通路Ｓを通過した空気は、これ等の通気孔２８を通って、換気通路１９及び換気通路２１に流入することが出来るように構成されている。
【００２７】
２９は中間の折曲部２９ａでく字状に折り曲がった邪魔板であって、その元部２９ｂは前記凹部２７内に挿入され、かつ折曲部２９ａは前記三角突出部２６の先端に当接されている。また、該邪魔板２９の先端部は換気通路Ｓ内に挿入されている。３０は不燃性熱膨張材であって、前記邪魔板２９の元部２９ｂに隣接して凹部２７の内側面に取付けられている。
【００２８】
従って、前記不燃性熱膨張材３０が火災等で一定の温度に加熱された場合には膨張して邪魔板２９の元部２９ｂを押圧し、図６に示す如く、この邪魔板２９を三角突出部２６の先端を支点として回動させ、邪魔板２９の先端部で換気通路Ｓを閉鎖し、この換気通路Ｓ内を通過する空気を遮断することが出来るように構成されている。
【００２９】
前述のように基礎部の換気通路に設けたＢ型防火ダンパー２２は、図７に示す如く、下屋３１に設けた換気通路にも応用して取付けることが出来る。この実施例の場合には、Ｂ型防火ダンパー２２の基礎押さえ２５に通気孔２８を設けることは不要である。
【００３０】
更に、図８及び図９（ａ），（ｂ）に示す如く、建物全体の外壁１６とその裏側の不燃性下地材１８との間に形成される垂直方向の換気通路１９内の上段部、中段部、下端部或いは前記基礎部等の所望の位置にＢ型防火ダンパーを改良して作ったＢ型防火ダンパー３１を取付けて構成することも可能である。
【００３１】
［参考例１］
図１０（ａ），（ｂ）に於いて、軒天井板３の先端部と鼻隠し板２との間に形成された隙間４にはＣ型防火ダンパー３２が嵌め込まれており、このＣ型防火ダンパー３２はボルト６を介して前記鼻隠し板２に取付固定されている。
【００３２】
Ｃ型防火ダンパー３２は下部の一部が解放された断面がほぼ４角筒状の筒状外フレーム３３より構成され、この筒状外フレーム３３の右側面には軒天井板３の端縁が嵌入し得る凹溝３４が設けられている。この筒状外フレーム３３の上板には通気孔３５が穿設されており、筒状外フレーム３３の下部より侵入した空気は、矢印で示す如く、筒状外フレーム３３の換気通路Ｓ内を通って、前記通気孔３５より排出されるように構成されている。
【００３３】
図中、３６は所定の形状に折り曲げられた邪魔板であって、その両端部は円弧状にカールされている。該邪魔板３６は前記換気通路Ｓ内に配置され、かつこの邪魔板３６の元部３６ａは筒状外フレーム３３内のコーナー部３３ａと邪魔板押さえ３７とによって回動自在に保持されている。３８は不燃性熱膨張材であって、前記邪魔板３６の中間所定部分に隣接して筒状外フレーム３３の内側面に取付けられている。
【００３４】
従って、該不燃性熱膨張材３８が火災等によって所定の温度に達した場合には、熱膨張して邪魔板３６の中間部分を押圧し、この邪魔板３６をその元部３６ａを中心に回動させ、邪魔板３６によって筒状外フレーム３３の換気通路Ｓの途中を点線によって示す如く、火炎等が換気通路Ｓ内を通過出来なくすることが出来る。
【００３５】
図１０に於いて説明したＣ型防火ダンパー３２は、図１１（ａ），（ｂ）に示す如く、軒天井の元部側に取付けて構成することも可能である。この場合には、軒天井板３の元部と壁板１２との間に隙間４を設け、この隙間４内にＣ型防火ダンパー３２を嵌め込むと共に、筒状外フレーム３３をボルト６を介して壁板１２に取付固定することによって構成することが出来る。
【００３６】
［参考例２］
図１２（ａ），（ｂ）は軒天井の先端側にＤ型ダンパーを取付けて構成した実施例であって、鼻隠し板３９と軒天井板４０の先端部との間に形成された軒先換気口４１内にＤ型防火ダンパー４２が嵌め込まれて、ビス、ボルト６等によって鼻隠し板３９の下地板に取付られている。
【００３７】
前記Ｄ型防火ダンパー４２の構造は、前記Ｃ型防火ダンパー３２とほぼ同一の構造を有している。４３は筒状外フレームであって、その上部には通気孔４４が設けられ、かつその内部の換気通路Ｓ内には、邪魔板４５が配置され、この邪魔板４５の元部４５ａは筒状外フレーム４３内のコーナー部４３ａと邪魔板押さえ４６とによって回動自在に保持されている。また、この邪魔板４５の元部４５ａには枝片４５ｂが邪魔板４５の側方に一体的に突設されている。
【００３８】
４７は不燃性熱膨張材であって、前記枝片４５ｂに隣接する筒状外フレーム４３の内面に取付けられている。従って、このＤ型防火ダンパー４２の場合には、換気通路Ｓ内に火炎等が侵入して不燃性熱膨張材４７が加熱膨張した場合には、前記枝片４５ｂが不燃性熱膨張材４７によって押圧され、元部４５ａを支点として邪魔板４５が回動し、邪魔板４５で換気通路Ｓを遮断することが出来るように構成されている。
【００３９】
前述の実施例１及び実施例２はいずれも不燃性邪魔板の中間所定部分を支持し、この不燃性邪魔板の端部を不燃性熱膨張材によって作動させることによって、ダンパー内の換気通路を不燃性邪魔板によって遮断するようにした構造である。
【００４０】
前述の参考例１及び参考例２は不燃性邪魔板の元部を回動自在に支持し、不燃性邪魔板の中間所定部分或いは不燃性邪魔板に一体的に取付けられた枝片を不燃性熱膨張材の膨張によって、ダンパー内の換気通路を不燃性邪魔板によって遮断するようにした構造である。
【００４１】
【発明の効果】
本発明に於いては、前述のように、建築物の換気通路内に不燃性邪魔板を回動自在に配置し、かつこの不燃性邪魔板の所定位置に沿って不燃性熱膨張材を取付けたので、火災時に換気通路内に火炎や熱気が侵入して温度が一定の温度に達した場合には、不燃性熱膨張材が膨張して前記不燃性邪魔板を回転させ、これによって不燃性邪魔板で換気通路を遮断することが出来る。
【００４２】
また、防火ダンパーの換気通路内に配置された不燃性邪魔板の中間所定部分を支持することによって該不燃性邪魔板を回動自在に設け、その不燃性邪魔板の端部に隣接して前記不燃性熱膨張材を取付けて構成したことで、換気通路内に火炎や熱気が侵入して温度が一定の高温度に達した際に、不燃性熱膨張材が膨張して不燃性邪魔板の中間部分の支点を中心にして不燃性邪魔板を回動させ、これによって換気通路を遮断することが出来る。
【００４３】
前述の本発明の防火ダンパーに於いては、不燃性の邪魔板を使用し、火災が発生した際にはこの邪魔板を不燃性熱膨張材で作動して建物の換気部分、即ち換気口、換気通路等を閉鎖し、換気部分に火炎や熱気等が侵入することを防止するので、作動が容易であると共に、閉鎖或いは通路の遮断が確実である特徴を有している。更に、従来の不燃性熱膨張材のみで換気部分を閉鎖した場合に比較して、小量の不燃性熱膨張材で効率良く、しかも不燃性熱膨張材自体を火炎等で損傷することなく実施することが出来る。
【図面の簡単な説明】
【図１】  図１（ａ），（ｂ）は本発明に係る第１実施例の防火ダンパーを軒天井の先端側に取付けた状態の断面図である。
【図２】  図２（ａ），（ｂ）は図１の防火ダンパーを軒天井の元部に取付けた状態の断面図である。
【図３】  図１の防火ダンパーを棟部に設けた通常時の断面図である。
【図４】  図３の防火ダンパーが作動する状態を示す断面図である。
【図５】  図５（ａ），（ｂ）は本発明の第２実施例の防火ダンパーを土台部に設けた状態の断面或いは斜視説明図である。
【図６】  図５の防火ダンパーが作動した状態を示す断面図である。
【図７】  図５の防火ダンパーを下屋部に設けた状態を示す断面図である。
【図８】  図５の防火ダンパーを垂直換気通路の複数個所に設けた状態の断面図である。
【図９】  図９（ａ），（ｂ）は図８の防火ダンパーの一部が通常の状態から作動する状態に変化する断面拡大図である。
【図１０】  図１０（ａ），（ｂ）は参考例１の防火ダンパーを軒天井の先端側に設けた状態の断面図である。
【図１１】  図１１（ａ），（ｂ）は図１０の防火ダンパーを軒天井の元部に設けた状態の断面図である。
【図１２】  図１２（ａ），（ｂ）は参考例２の防火ダンパーを軒天井の先端側に設けた状態の断面図である。
【符号の説明】
１ …屋根
２ …鼻隠し板
３ …軒天井板
４ …隙間
５    …Ａ型防火ダンパー
６ …ボルト
７ …筒状外フレーム
７ａ …換気筒
７ｂ …軒天支持筒
７ｃ …接合部
８ …通気孔
９ …邪魔板
９ａ …先端部
９ｂ …後端部
９ｃ…折曲部
１０ …支持片
１１ …不燃性熱膨張材
１２ …壁板
１３ …棟部
１４ …基礎
１５ …土台
１６ …外壁
１７ …空間
１８ …不燃性下地材
１９ …換気通路
２０ …基礎パッキン
２１ …換気通路
２２  …Ｂ型防火ダンパー
２３ …垂直取付部
２４ …多機能水切り
２５ …基礎押さえ
２６ …三角突出部
２７ …凹部
２８ …通気孔
２９ …邪魔板
２９ａ…折曲部
２９ｂ…元部
２９ｃ…先端部
３０ …不燃性熱膨張材
３１ …下屋
３２  …Ｃ型防火ダンパー
３３ …筒状外フレーム
３３ａ…コーナー部
３４ …凹溝
３５ …通気孔
３６ …邪魔板
３６ａ…元部
３７ …邪魔板押さえ
３８ …不燃性熱膨張材
３９ …鼻隠し板
４０ …軒天井板
４１ …軒先換気口
４２  …Ｄ型防火ダンパー
４３ …筒状外フレーム
４３ａ…コーナー部
４４ …通気孔
４５ …邪魔板
４５ａ…元部
４５ａ…元部
４５ｂ…枝片
４６ …邪魔板押さえ
４７ …不燃性熱膨張材
Ｓ …換気通路
【図１】
0004641076.tif 000002
【図２】
0004641076.tif 000003
【図３】
0004641076.tif 000004
【図４】
0004641076.tif 000005
【図５】
0004641076.tif 000006
【図６】
0004641076.tif 000007
【図７】
0004641076.tif 000008
【図８】
0004641076.tif 000009
【図９】
0004641076.tif 000010
【図１０】
0004641076.tif 000011
【図１１】
0004641076.tif 000012
【図１２】
0004641076.tif 000013